(57)【特許請求の範囲】
【請求項１】
コイルと、前記コイルに接続される２つの入力部／出力部を有するＲＦＩＤチップとを備えるＲＦＩＤタグであって、さらに：
前記入力部／出力部に接続されると共に、前記入力部／出力部に信号が実質的に出力されない第１のモードまたは前記入力部／出力部に確率的／ランダム信号が出力される第２のモードのいずれかで動作するように構成される、電気回路と；
前記電気回路が動作する前記第１および前記第２のモードのいずれかにおいて制御を行う手段と；
を備える、ＲＦＩＤタグ。
【請求項２】
前記電気回路は、前記コイルから電力を受信し、かつ前記受信した電力に基づいて動作するように構成される、請求項１に記載のタグ。
【請求項３】
請求項１に記載の前記ＲＦＩＤタグの動作方法であって：
（ａ）前記コイルにより電磁場を受信／検知し、信号および／または電力を前記チップに転送するステップと；
（ｂ）前記電気回路が前記第２のモードで動作し、確率的／ランダム信号を、前記チップの前記入力部／出力部に出力するステップと；
（ｃ）前記制御手段が、信号を前記電気回路に送り、前記電気回路を前記第１のモードに入らせるステップと；
（ｄ）前記チップが、所定の情報を前記コイルに出力するように動作するステップと；
を含む、方法。
【請求項４】
前記ステップ（ｂ）は、前記電気回路が前記コイルから電力を受信するステップを含む、請求項３に記載の方法。
【請求項５】
前記ステップ（ｂ）は、前記電気回路が、ある時間に亘って変動する電力量を消費することを含む、請求項３または４に記載の方法。
【請求項６】
前記ＲＦＩＤチップは、前記２つの入力部／出力部のみを有する、請求項１に記載のタグ。
【請求項７】
前記制御手段は、信号を出力するように構成される要素であって、前記電気回路は該信号に対して応答するように構成される、請求項１に記載のタグ。
【請求項８】
前記制御手段は、動作時に、信号を出力するように構成された機械的に動作可能な要素であって、前記電気回路は、該信号を受信する際、前記第１のモードに入るように構成される、請求項１に記載のタグ。
【請求項９】
前記ＲＦＩＤチップは、前記コイルから電力を受信し、かつ前記受信した電力に基づいて動作するように構成される、請求項１に記載のタグ。
【請求項１０】
前記電気回路は、前記ＲＦＩＤチップが出力する信号の何れかに前記確率的／ランダム信号を加えるために、前記第２のモードで動作するように構成される、請求項１に記載のタグ。
【請求項１１】
前記ＲＦＩＤチップは、前記コイルが検知する信号を受信するように構成され、前記電気回路は、該信号が前記コイルで検知される際、前記第２のモードで動作するように構成される、請求項１に記載のタグ。
【請求項１２】
前記ステップ（ｃ）は、前記制御手段を機械的に動作することを含む、請求項３に記載の方法。
【請求項１３】
前記ステップ（ａ）は、前記コイルから電力を受信し、かつ前記受信した電力に基づいて動作するＲＦＩＤチップを含む、請求項３に記載の方法。
【請求項１４】
前記ステップ（ｂ）は、前記確率的／ランダム信号に加えられる信号を出力するＲＦＩＤチップを含む、請求項３に記載の方法。
【請求項１５】
前記転送された信号が前記ＲＦＩＤチップで受信され、前記確率的／ランダム信号が前記転送された信号に加えられ、前記電気回路が前記確率的／ランダム信号を出力するように、前記ステップ（ａ）および（ｂ）は同時に実行される、請求項３に記載の方法。
【発明の詳細な説明】
【発明の詳細な説明】
【０００１】
本発明は、ＲＦＩＤタグに関し、具体的には、作動前は離れて読み取り不能であるセキュアなＲＦＩＤタグに関する。
【０００２】
一般的に、ＲＦＩＤタグは、読み取り器から問い合わせ電波（interrogating electromagnetic field）を受信することによって動作し、タグのチップに格納された識別データに基づいて、電磁場をロードすること等によって信号を出力する。この種のタグは、衣服、食料品、薬剤などに幅広く使用され、高額紙幣にもタグが使用され得ることが想定される。このようなタグは、認可された読み取り器だけではなく他の機器によっても検知および識別されるため、問題が発生する。したがって、他人に自分の衣服または靴のサイズを知られたくない場合、および他人に自分の財布の中の現金額を遠くから判断されたくない場合、ＲＦＩＤタグの動作が、必要に応じて望ましい効果を維持するように、あるいはタグの応答を阻止するように制御され得ることが望まれる。
【０００３】
このようなセキュアなＲＦＩＤタグの種類の１つは、例えば、Peratech製品（http://www.peratech.com/security.php）において見ることができる。この製品では、タグのアンテナは開放されたままとなっており、タグが通信するためには指の圧力で閉じられる必要がある。
【０００４】
第１の捉え方によれば、本発明は、コイルと、前記コイルに接続される２つの入力部／出力部を有するＲＦＩＤチップとを備えるＲＦＩＤタグであって、さらに：前記入力部／出力部に接続されると共に、前記入力部／出力部に信号が実質的に出力されない第１のモードまたは前記入力部／出力部に信号が出力される第２のモードのいずれかで動作するように構成される、電気回路と；前記電気回路が動作する前記第１および前記第２のモードのいずれかにおいて制御を行う手段と；を備える、ＲＦＩＤタグに関する。
【０００５】
本明細書では、ＲＦＩＤタグは、１つ以上のエンティティとの、無線通信、好ましくは近距離無線通信を実行するように構成される、任意の種類の携帯型要素であってもよい。より一般的な用語はNFC（Near Field Communication；近距離通信）であり、これは、携帯電話またはその同等物に使用されることができる。また、幅広く使用されているプロトコルはＲＦＩＤのプロトコルであり、これは、食料品、衣服、クレジットカード、アクセス制御要素（キーハンガーまたはその同等物）、パスポート、またはその同等物に使用され得る。サイズ、価格、およびセキュリティレベルに応じて、このようなタグは、より小型または大型であってもよく、窃盗、紛失、またはその同等物に対するセキュア度が高くまたは低くてもよい。
【０００６】
現在のところ好適な実施形態は、例えば、ＡＴＭに対して、または店頭販売時点においてユーザまたは銀行口座を識別するための、クレジットカード型要素におけるＲＦＩＤプロトコルの使用である。
【０００７】
当然ながら、任意の種類のアンテナまたはトランスポンダを使用してもよい。本明細書において、ＲＦＩＤプロトコルのためには、コイルが好ましいが、他の種類のアンテナを、他の波長または領域に使用してもよい。本明細書では、コイルは、螺旋コイル等の任意の種類のコイルであってもよく、通常、１つの平面および同一平面に多かれ少なかれ設けられるフラットコイルとして設けられてもよい。
【０００８】
好ましくは、ＲＦＩＤチップは、同一の２つの入力部／出力部のみを有する標準的なＲＦＩＤチップであり、チップは、当該入力部／出力部から信号および／または電力を受信し、出力する信号を当該入力部／出力部に転送する。本明細書の高セキュリティＲＦＩＤチップは、これらの２つの入力部／出力部だけしか含まず、この種類のＲＦＩＤチップに適合されたより高セキュリティのタグを提供することが望まれている。後述するように、信号入力部／出力部だけでなく電力用入力部も有するＲＦＩＤチップも、本発明に従って使用され得る。このように、実際は、回路の出力は、信号入力部／出力部および／または電力用入力部に供給され得る。
【０００９】
通常、入力部／出力部は、コイルに接続される。各入力部／出力部は、シングル・コンダクタ・コイルの２つのコイルエンドのいずれかに接続される。
【００１０】
本明細書では、電気回路は、フリップフロップ、トランジスタ、ダイオード、またはその同等物等の１つまたはいくつかの電子構成要素から、ＡＳＩＣ、プロセッサ、シグナルプロセッサ、配線ロジック、ＦＰＧＡ、またはその同等物等までのいずれかであり得る。当然ながら、２つのモードが望まれるが、フリップフロップであっても、２つのモードで動作してもよく、電力または信号がそこを通過することを阻止するように機能してもよい。
【００１１】
本明細書では、信号は、回路から生成および出力される、特定の機能に関する信号であり得るが、この信号は、特に、電力がコイルから受信される下記の状況において、単に、入力部／出力部から、任意の電力供給部をロードすることによって出力されてもよい。
【００１２】
電気回路が第１および第２のモードのいずれかで動作する構成において制御を行う手段は、任意の種類のコントローラであってよい。例えば、回路が応答する信号を出力するように構成された要素等であってもよい。この応答は、一方のモードから他方のモードへ回路を移行させるものであるか、または移行するモードを規定するものであってもよい。上記制御手段は、回路に信号を送出するか、または送出しないように構成される単純なスイッチまたはその同等物であってもよい。別の形態では、上記制御手段は、複雑な信号を生成して回路に送出してもよい。回路は、その信号から、モードを変更するか否かを判断することができる。
【００１３】
当然ながら、電池または他の電圧供給部等の電源を、回路、制御手段、および／またはチップに電力供給するために設けてもよい。しかし、多くのＲＦＩＤチップと同様に、電気回路は、コイルから電力を受けとり、かつ受けとった電力に基づいて、好ましくは第２のモードで動作するように構成されることが好ましい。この電力は、標準的なＲＦＩＤチップに保存され得る。代替として、電池または他の手段を設けてもよい。
【００１４】
その実施形態または別の好適な実施形態では、制御手段は、動作時に、信号を出力するように構成された機械的に動作可能な要素であり、回路は、信号を受信する際に第１のモードに入るように構成される。したがって、制御手段は、上述のように、単純なスイッチであってもよい。しかしながら、好ましくは、制御手段は、変形時に電圧を出力するように構成された圧電素子である。この場合、回路は、閾値を上回る電圧を受け取る際に、反応し、第１のモードに入るように構成される。
【００１５】
一好適な実施形態では、回路は、第２のモードで動作する際に、確率的／ランダム信号を入力部／出力部に出力するように構成される。このように、組み合わせられた信号は、確率的／ランダムであるため、無用になる。この点に関し、確率的またはランダム信号は、複数の方式で生成されてもよく、さらに、高度なセキュリティが所望されない場合に、半ランダム／確率的信号（反復可能信号等）を使用してもよい。
【００１６】
代替として、回路は、第２のモードで動作する際に、チップにより出力された信号における１つ以上のビットを変更する信号を出力するように構成される。このように、結合信号は、チップにより出力された信号に類似するが、１つ以上のビットは変更され、好ましくは、ＣＲＣまたは他の誤り標示ビットに誤りを含ませる。
【００１７】
本発明の第２の捉え方によれば、第１の捉え方に従うＲＦＩＤタグの動作方法であって：前記コイルにより電磁場を受信／検知し、信号および／または電力を前記チップに転送するステップと；前記電気回路が前記第２のモードで動作し、信号を、前記チップの前記入力部／出力部に出力するステップと；前記制御手段が、信号を前記電気回路に送り、前記電気回路を前記第１のモードに入らせるステップと；前記チップが、所定の情報を前記コイルに出力するように動作するステップと；を含む、方法に関する。
【００１８】
本明細書では、電磁場は、コイルに電圧／電流を供給する。この電圧／電流は、チップに転送されて保存され得るか、またはチップにおいて使用され得る。
【００１９】
好ましくは、処理は望ましい順序で実行され、信号を受信することによってタグが動作を開始するが、回路は、チップが信号を出力したり、出力信号をスクランブル化したりはしないように信号を出力する。その後、制御手段は、スイッチを操作する（圧電素子を変形させる等）ユーザ等によって操作され、回路にその第１のモードに入るように命令し、これによって、チップは、意図したように動作可能になる。この動作は、通常、チップに格納された所定の情報を出力することを含む。ほとんどの状況では、チップの動作は、正確な情報または期待の情報の受信に対する応答として、情報を出力することを含む。
【００２０】
上述のように、制御手段により伝送される信号は、単一の電圧／電流またはその不在から、複数のビットもしくはさらに暗号化された信号等の、より複雑なものまでどのようなものであってもよい。
【００２１】
好適な実施形態では、回路がその第２のモードで動作するステップは、電気回路がコイルから電力を受信するステップを含む。このように、内部電源または他の電源が必要とされない。
【００２２】
その実施形態または別の好適な実施形態では、制御手段が信号を送るステップは、機械的に動作可能な要素を作動し、次いで、信号を出力することを含む。
【００２３】
また、回路が第２のモードで動作するステップは、回路が、確率的／ランダム信号を入力部／出力部に出力することを含むことが好ましい。代替として、回路は、結合信号が、チップにより出力された信号とは異なるように、チップにより出力された信号のうちの１つ以上のビットまたは一部を変更するように動作してもよい。これは、回路が、チップから出力された信号を把握することを必要とするかもしれない。または回路は、チップから出力された信号がそのビットとは異なるまで、所定のビットを出力し続けてもよい。それによって、結合信号は変化したビットを含むようになる。
【００２４】
回路が第２のモードで動作するステップは、回路が、ある時間に亘って変動する電力量を消費することを含むことが好ましい。また、この変動する電力量は、信号も出力し、上述のように、この信号ひいては電力消費が確率的／ランダムであることが好ましい。
【００２５】
第３の捉え方によれば、本発明は、コイルと、第１の最低動作電圧を有し、それぞれ前記コイルに接続される２つの入力部を有するＲＦＩＤチップとを備えるＲＦＩＤタグであって、さらに：前記入力部に接続される電気回路であって、前記第１の最低動作電圧よりも低い第２の最低動作電圧で動作するように構成される電気回路と；前記電気回路の動作を制御する手段と；を備える、ＲＦＩＤタグに関する。
【００２６】
上述のように、本明細書のＲＦＩＤタグおよびチップは、ＲＦＩＤプロトコルを含むがこれに限定されない、任意の種類の無線通信、好ましくはNFCを実行するように構成され得る。
【００２７】
ゆえに、任意の種類のアンテナまたは送受信機を使用してもよいが、好ましくは単一の導体に設けられる螺旋コイル等のコイルが好ましい。
【００２８】
本明細書のＲＦＩＤチップは、コイルに接続された２つの入力部を有する。好ましくは、これらの入力部は、コイルから電力を受信するためのものである。１つの種類のＲＦＩＤチップでは、２つの入力部だけが設けられ、信号をコイルに伝送することに関してコイルから電力を受信するためと、また実施例によっては、コイルから信号を受信するためにも使用される。他の種類のＲＦＩＤチップは、上記の電力受信用入力部、ならびに信号をコイルに提供するためと、また実施例によっては、コイルから信号を受信するための信号用出力部を有する。
【００２９】
また、この捉え方によれば、電気回路は、電圧調整器等の極めて単純な回路から、さらにより複雑な機能を実行するプロセッサまたはその同等物等の複雑な回路までのあらゆるものであり得る。
【００３０】
本明細書では、最低動作電圧は、チップまたは回路が動作可能である最低電圧である。通常、この電圧は、例えば、チップもしくはＡＳＩＣの生成に使用する技術によって規定され得るか、または例えば、所要の要素（ダイオード等）における電圧降下によって規定され得る。ＡＳＩＣおよび他のチップでは、最低動作電圧は、通常、特定される。
【００３１】
この状況において、より低い電圧は、若干低いだけでよいが、生産変動およびその同等物を考慮するために、回路の動作電圧が、チップのその最低動作電圧よりも、８０％以下等の９０％以下、好ましくは、６０％以下等の７５％以下であることが望まれる。
【００３２】
前述のように、電気回路の動作を制御する手段が設けられる。これらの手段は、第１の捉え方に関連して説明した手段であり得る。
【００３３】
一実施形態では、電気回路は、コイルから電力を受信し、かつ受信した電力に基づいて動作するように構成される。このように、内部電源が必要とされない。回路は、電池またはコンデンサ等の、受信した電力を少なくとも限られた期間中保存する手段を有し得る。
【００３４】
その実施形態または別の実施形態では、回路は、電力または信号がコイルから受信される際に動作するように構成される。したがって、コイルからの電力／信号の受信は、回路を開始または動作させ、回路は、信号／電力を受信しなくなるまで、または制御手段に停止するように制御されるまで、動作可能なままであり得る。
【００３５】
概して、前述のように、制御する手段は、動作時に、信号を回路に転送するように構成された機械的に動作可能な要素であり、回路は、信号を受信すると動作を停止するように構成される。
【００３６】
第４の捉え方によれば、本発明は、第３の捉え方に従うＲＦＩＤタグの動作方法であって：前記コイルにより電磁場を受信／検知し、電力を前記チップに転送するステップと；前記電気回路がり、前記チップが利用可能な前記電圧を前記第１の最低動作電圧より低い電圧に低下させるように制御するステップと；前記制御手段が信号を前記電気回路に送り、前記電気回路を動作不可能にするステップと；前記チップが、所定の情報を前記コイルに出力するように動作するステップと；を含む、方法に関する。
【００３７】
前述のように、コイルを電磁場に配置することは、コイルに電圧／電流を生成し、この電圧／電流は、チップおよび回路に転送される。
【００３８】
回路は、チップに利用可能な電圧を、第１の最低動作電圧よりも低い電圧に低下させるように動作可能である。この電圧の低下は、単に、コイルにより供給された電力を十分に消費してコイルにおける電圧を低下させることによって実現されうる。この低下は、プロセッサおよび／またはメモリを動作させること、または単に、電力を浪費または除去するために抵抗器等の電力消費要素を提供する等の、多数の方式で実行されてもよい。
【００３９】
また、前述のように、制御手段は、回路に影響を及ぼすために、単純または複雑な信号を回路に提供してもよい。
【００４０】
この実施例において、信号を受信した回路は動作を停止するが、これは、回路が受信した電圧を低下させないことを意味する。好ましくは、回路は、動作が停止すると、少なくとも実質的に全く電力を消費しない。これは、チップが動作可能となっている時に、利用可能な電力を可能な限り受け取れるようにするためである。
【００４１】
また、上述のように、チップの通常の動作は、所定の情報をコイルに出力する動作である。加えて、チップは、コイルから情報を受信し、信号を解析し、受信した情報が十分である場合に、情報を出力するだけであってもよい。
【００４２】
一実施形態では、回路が動作するステップは、電気回路がコイルから電力を受信することと、受信した電力に基づいて動作することとを含む。
【００４３】
その実施形態または別の実施形態では、回路が動作するステップは、電力または信号がコイルから受信される際に回路が動作することを含む。したがって、いかなる種類の始動命令も必要とされない。
【００４４】
また、さらに上述のように、制御手段が信号を送るステップは、好ましくは、機械的に動作可能な要素を作動し、次いで、信号を転送することを含む。
【００４５】
本発明の第５の捉え方は、コイルと；各入力部／出力部が前記コイルに接続される２つの入力部／出力部を有し、かつ２つのモードのうちの１つで動作するように構成されるＲＦＩＤチップであって、前記２つのモードのうちの第２のモードは、前記入力部／出力部に信号が実質的に出力されないモードであり、前記２つのモードのうちの第１のモードは、前記入力部／出力部に信号が出力されるモードであり、前記第１から前記第２のモードに、またはその反対に、前記チップを移行させる信号を受信するように構成される１つ以上の信号入力部を備えるチップと；前記１つ以上の信号入力部に信号を提供する手段とを備えるＲＦＩＤタグであって：前記提供する手段は、生体測定を実行し、かつ前記生体測定に基づいて人を識別し、前記人が識別されると前記信号を出力するように構成され；前記提供する手段は、前記信号を暗号化された信号として出力するように構成され、前記チップは、前記暗号化された信号から、前記第１のモードへ移行するか否かを決定するように構成される；ＲＦＩＤタグに関する。
【００４６】
上述のように、本明細書の用語の「ＲＦＩＤタグ」、「コイル」、および「ＲＦＩＤチップ」は、様々な種類の通信方式やアンテナを組み込んだものも包含する広範な意味で用いられるべきである。
【００４７】
本明細書のＲＦＩＤチップは、本明細書において、チップにモードを変更させる、または所定のモードに入らせることを命令する信号のための入力部をさらに有する。加えて、この信号は、チップにより解析される、暗号化された信号であり、暗号化された信号が受け入れ可能である場合にのみ、モード変更が発生する。
【００４８】
本明細書では、生体測定方式は、人の指紋や虹彩スキャン、画像、人の顔の３Ｄ画像を測定することや、またはさらに遺伝解析等の、任意の種類の生体測定方式であってもよい。
【００４９】
この測定は、人またはユーザを識別するために使用され、測定の結果は、チップを特定のモードまたはモード変更に入らせることを命令するために使用される。
【００５０】
通信チャネルは確実に暗号化される必要がある。また通信チャネルは、シリアルであってもパラレルであってもよく、また様々な数の導体を備えうる。上記提供する手段は、チップの命令を暗号化し、かつこの暗号化された命令を転送するように構成される。
【００５１】
同一の命令が通信チャネル上で常に同じであるように見えないように、同一の命令が、様々な異なる形態に暗号化されてもよく、また、暗号化前に、冗長化のために追加の情報を付加してもよい。
【００５２】
第６かつ最後の捉え方によれば、本発明は、第５の捉え方に従うＲＦＩＤタグの動作方法であって：前記コイルにより電磁場を受信／検知し、電力を前記タグおよび回路に転送するステップと；前記チップが前記第２のモードで動作するステップと；前記提供する手段が、人に関する生体測定を実行し、暗号化された信号を出力するステップと；前記チップが前記暗号化された信号を受信し、前記暗号化された信号が、識別された人に関連する場合に、前記第１のモードに移行するステップと；を含む、方法に関する。
【００５３】
以下、図面を参照しつつ、本発明の好適な実施形態について説明する。
【００５４】
図１は、多くの異なる実施形態に適用されうる一般的な構成を図示する。この構成において、ＲＦＩＤタグ１０は、ＲＦＩＤチップ１２を備える。ＲＦＩＤチップ１２は標準的なＲＦＩＤチップであり、ＲＦＩＤコイル１４に接続され得る。
【００５５】
コイルをアンテナまたはセンサとして使用するＲＦＩＤチップに関連して本図面について説明するが、任意の種類の通信プロトコルや任意の種類のトランスポンダを使用してもよい。通常ＮＦＣと称される任意の種類の近距離通信方式を使用してもよい。
【００５６】
以下により詳細に説明するように、ＲＦＩＤチップの動作は、ある時点において影響を受け得る。が、影響を受けないモードでは、ＲＦＩＤチップおよびコイルの動作は、標準的な動作であってよい。この標準的な動作では、信号が、コイル１４によって検知され、この信号および電力は、チップ１２の入力部／出力部１２'および１２"に転送され、チップ１２は、電力を格納し、その電力に基づいて、入力部／出力部１２'および１２"を介して、信号をコイル１４に戻して出力する。この信号は、チップ１２に格納されたデータを含み、通信相手のアンテナ／端末によって検知されうる。チップ１２に格納され、かつ出力信号に埋め込まれているデータは、通常、タグ１０の識別に関連しており、タグ１０が取り付けられる製品または取り付けられようと意図される製品に関連してもよい。また、タグは、人または銀行口座にも関連し得るため、タグは、例えば、ＡＴＭに対して人または銀行口座を識別するために使用されうる。
【００５７】
タグ１０は、コントローラまたは回路１６をさらに備え、これも、コイル１４への入力部／出力部１６'／１６"と、入力部／出力部１２'／１２"とを介して接続されうる。この回路１６は、必要に応じてチップ１２の動作に影響を及ぼすように動作可能である。この効果は多数の方式で実現されうる。
【００５８】
この効果を得ることを望むか否かをユーザが決定するために、ユーザが操作するためのスイッチ１８が設けられる。このスイッチ１８が操作されると、コントローラまたは回路１６の動作は、チップ１２の動作に影響を及ぼす動作から、影響を及ぼさない動作に（またはその反対に）変更されうる。
【００５９】
当然ながら、スイッチ１８は、動作可能な任意の種類のスイッチであってもよい。スイッチ１８の正確な種類は、タグ１０の実際の形状および必要性に依存する。通常、タグは、クレジットカードの形状またはそれよりさらに小さい形状のように、小型かつ安価であるべきである。この状況において、適切なスイッチは、圧電素子の形式であってもよく、圧電素子は、変形時に電圧を出力し、この電圧は、コントローラ１６に供給され、コントローラ１６によって検知されうる。この変形は、タグ１０またはスイッチ１８上の曲げまたはタッピングに起因し得る。当然ながら、必要に応じて、端末または読み取り器等の他の素子と無線通信し得るような、他の種類のより標準的なスイッチを使用してもよい。
【００６０】
好適な実施形態の１つのグループでは、コントローラ１６の動作は、入力部／出力部１６'／１６"に信号を出力することであり、その信号は、チップ１２から出力された任意の信号に加えられることによって、コイル１４により出力された信号の全体を意味不明のものにする。
【００６１】
加えて、この信号は、コイル１４により検知され、かつチップ１２に転送された任意の信号もスクランブル化し得る。そのためチップ１２は、信号中の情報を識別したり、入力部／出力部１２'／１２"上に意味のある結果を提供することが不可能になる。
【００６２】
実際は、このスクランブル化は、入力部／出力部１６'／１６"を介してコイルにより電力供給される際に、コントローラ１６の電力消費を変動させることにより実現されることができる。なぜなら、これも、チップ１２の動作を同等に妨害するからである。
【００６３】
電池または他の電力供給／貯蔵が必要とされない場合（通常の場合）、コントローラ１６が、通常のＲＦＩＤチップ１２のように、電磁場を検知する際にコイル１４から電力を受信するように構成されることが望ましい。この状況において、コントローラ１６は、電力（これによって動作することが可能になる）を受信する際およびスイッチ１８から信号を受信するまで、信号を出力するように動作可能であり得る。
【００６４】
概して、チップ１２のこの出力信号が、可能な限りスクランブル化され、かつ識別不可能であることが望まれうる。したがって、コントローラ１６の出力は、確率的またはランダムであることが好ましい場合がある。当業者は、これを実現する多数の方式を利用することができ、計算能力の大小やコントローラ１６への任意のアナログ入力、また他の要因に応じて利用することができる。
【００６５】
上述のグループの一般的な実施形態を図２〜図５に示す。図２では、コントローラ１６は、コイル１４から電力を受信する電力供給部２０と、電力供給部２０により電力供給され、かつスイッチ１８に接続されたプロセッサ２２と、プロセッサ２２により制御可能であり、かつコイル１４への接続部１６'／１６"上に信号を出力する内部電流消費プロセス２４とを有する。
【００６６】
電力供給部２０は、コイル１４から電力を受信し、かつプロセッサ２２が動作することを可能にすることによって、例えば、典型的なＲＦＩＤタグの電力供給部として機能する。電力が利用可能である場合、プロセッサ２２は、スイッチ１８からのインパルスに応じて動作し、プロセス２４も、コイル１４から電力を受け取って、後述するように動作を開始する。
【００６７】
プロセッサ２２は、スイッチ１８が作動したことを判断し、また、プロセス２４の動作を終了させることができる。それによってチップ１２は、コイル１４からの信号に存在する情報を見つけたり、所望の応答を出力したりすることができる。
【００６８】
プロセス２４は、出力信号を大きく乱したり、十分に電力を消費したりする如何なるプロセスであってもよい。このプロセスも、入力部／出力部１６'／１６"によって直接電力供給される。
【００６９】
適切なプロセスの種類はほぼ無限にある。例えば、ＥＥＰＲＯＭやフラッシュメモリ等のメモリへの書き込み／読み出しは、電力消費の変動を生成し、プロセッサのクロック周波数の変化が生じる。このようなプロセスの１つとして、制御可能な電圧リミッタの制御が挙げられうる。当然ながら、電圧の制御は、多数の方式で実装されてもよく、その方式の１つとして、シャントレギュレータ（shunt regulator）として使用される単純なツェナーダイオード（Zener diode）が挙げられる。制御可能なシャントレギュレータは既知の事項であり、有用である。
【００７０】
代替として、プロセス２４は、チップ１２の動作およびそれによる任意の情報出力を妨げるために、入力部／出力部１６'／１６"上に情報を出力するように機能してもよい。このような情報は、チップ１２の出力される情報に応じて判断され得るし、また所定の方式で変更されうる。また、プロセス２４により出力された情報は、スクランブル化されたものや、または確率的なものであってもよい。
【００７１】
図３では、極めて類似した機構が示される。この図面において、プロセス２４'は、実際のコントローラ１６に対して外部に配置される。図３のプロセス２４'は、図２のプロセス２４と同一の方式で動作し得る。
【００７２】
図４では、外部に設けられた負荷２４"が、電力供給部２０からの電力を消費することを通じて、入力部／出力部１６'／１６"に影響を及ぼす。前述のように、実際のコントローラ１６に対して外部にあるが、内部にあってもよいプロセス２４"は、プロセッサ２２によって制御され、この図面では、電力供給部２０によって電力供給される。したがって、プロセス２４"の電力消費は電力供給部２０に影響を及ぼすが、このため電力供給部２０がコイル１４から取り入れる電力量は変動し、その結果、チップ１２とコイル１４との間の信号が乱される。
【００７３】
図５では、図４に類似する極めて単純なソリューションが示される。このソリューションではスクランブルコントローラ１６が利用される。この図面において、電力供給部２０は、スイッチ１８からの出力部がリセット入力部に接続されたフリップフロップ２２'に電力供給する。電力供給部２０からの電力は、フリップフロップ２２'の入力部、ならびにフリップフロップ２２'の設定入力部、および内部電圧リミッタ２４'"に供給される。したがって、フリップフロップ２２'のリセットの前に、電圧リミッタ２４'"は、電力供給部からの電力を、フリップフロップ２２'を介して制限または消費するように機能する。リセットされると、フリップフロップ２２'は、電力供給部２０からリミッタ２４'"への電力流を阻止し、これによって、チップ１２は、正常に機能することが可能になる。
【００７４】
上記実施形態に対する代替として、入力部／出力部１２'／１２"上の信号の一般的なスクランブルを実行せずに、さらにより微妙な情報の改変を実行するものが挙げられる。チップ１２により提供された情報は、当然ながら、ＣＲＣを含む信号であり、ＣＲＣは、元々の信号のビットのうちの１つ以上が伝送時に変更された場合に、誤りを含む。そこｄプロセッサ１６は、単に、動作中にチップ１２の信号出力のビットのうちの１つ以上を上書きするように機能し得る。プロセッサ１６が、入力部／出力部１２'／１２"／１６'／１６"を介して、チップ１２により出力された情報を受信することができることに留意されたい。すると、信号を受信する者は、明らかに無効なデータパケットを受信するが、どのビットが変更されているかを判断することが不可能であるため、情報が無効になる。
【００７５】
好適な実施形態の別のグループでは、コントローラ１６の動作は、必要に応じてチップ１２を動作不可能にすることである。これを入手する極めて単純な方式として、コイル１４ひいては入力部／出力部１２'／１２"から多くの電力を引き込むようにプロセッサ１６を動作させて、チップ１２を動作不可能にすることが挙げられる。
【００７６】
チップ１２は周知の最低動作電圧を有するが、これらの実施形態では、コントローラ１６は、より低い最低動作電圧を有するように選択される。このコントローラ１６は、動作時に、チップ１２の最低動作電圧を下回る程度まで電圧が低くなるように、コイル１４から受信した電圧を引き込む。するとチップ１２は動作しなくなるが、一方でコントローラ１６は動作する。
【００７７】
当然ながら、電圧は、短時間の間、チップ１２の最低動作電圧を上回ってもよいが、好ましくは、所定の時間より長くならない。この所定の時間は、望まれる情報を出力するのにチップ１２が必要とする時間に関連して、またはその時間に単に限定して判断されうる。
【００７８】
次いで、コントローラ１６は、スイッチ１８から信号を受信すると動作を停止し、チップ１２の最低動作電圧を上回る電圧がコイル１４からもたらされ、これによって、チップ１２は、動作し、その意図された機能を実行する。
【００７９】
上述のように、スイッチ１８の操作によって、チップ１２が動作可能になることが好ましい。
【００８０】
このタイプの一実施例が図６に示される。この図面において、コントローラ１６は、上述のような電力供給部２０と、スイッチ１８により制御可能なプロセッサ２５とを有する。また、電圧リミッタ２６が設けられ、電圧リミッタ２６は、動作時に、電力供給部２０から多くの電力を引き込み、チップ１２に利用可能な電力を、チップ１２が機能するには低過ぎるようにする。したがって、コントローラ１６の最低動作電圧、ひいてはプロセッサ２５およびリミッタ２６の最低動作電圧は、チップ１２の最低動作電圧よりも低くなるようにする。好ましくは、当然ながら、チップ１２の最低動作電圧の少なくとも１０％の格差が許容されるため、チップ１２が動作し、かつ入力部／出力部１２'／１２"上に存在する任意の信号に応答することを可能にする程度まで、入力部／出力部１２'／１２"上の電圧が、チップ１２の最小動作電圧を確実に上回らないようになる。
【００８１】
上述のように、リミッタ２６におけるプロセスは、いかなる種類の電力消費プロセスであってもよい。電力を熱に変換する抵抗器を使用するような単純なものであってもよい。コントローラ／プロセッサ／ＡＳＩＣ／メモリにおける簡単な処理、例えば、定数の加算や乗算、メモリに対する書き込み／読み出し、クロック周波数のシフトなども電力を消費する。
【００８２】
別の実施形態が図７に示される。この図面において、プロセッサ２５は、リミッタ２６'（実際のコントローラ１６に対して外部または内部にある）を制御し、リミッタ２６'は、この図面では、入力部／出力部１６'／１６"から直接電力供給される。前述のように、リミッタ２６'の動作は、任意の電力消費過程であってよく、この動作は、スイッチ１８から信号を受信する際に、プロセッサ２５によって終了し得る。
【００８３】
別の代替は、チップ１２が２つの入力部／出力部１２'／１２"だけでなく、１つ以上の電力／電圧入力部も有する状況において見られる。この状況では、全ての上記実施形態は、その電力入力部を介してチップ１２に影響を及ぼすために使用されることができ、図２〜図５の実施形態は、付加的または代替的に、入力部／出力部１２'／１２"に作用するように信号／妨害を提供するために使用されうる。
【００８４】
またさらなる代替が図８に示され、この図面において、チップ１２は、入力部／出力部１２'／１２"に加えて、チップ１２に動作するか否かを命令する信号のための入力部２７を有する。
【００８５】
対象の人によってのみこのチップ１２を動作可能にするために、生体検知要素２８が設けられる。この生体検知要素２８は、通常その人の指紋によって対象の人を識別し得るが、任意の生体検知方法を使用してもよい（虹彩検出、音声認識、またはその同等物）。
【００８６】
当然ながら、チップ１２ならびに要素２８は、上記実施形態のようにコイルによって電力供給され得るか、または電池３０もしくは他の電力供給手段が、少なくとも要素２８のために必要に応じて設けられてもよい。
【００８７】
生体要素２８とチップ１２との間の通信リンク２９の単なる分離を不可能にするために、この通信リンク２９は、暗号化される。したがって、生体要素２８は、検知した人に関連する情報を、暗号化形式上でチップ１２に転送するため、通信リンク２９の遮断およびこれを開回路または短絡回路に置換することは、チップ１２は動作可能にしない。
【００８８】
したがって、単純なスイッチの代わりに、生体的に動作可能な動作手段を使用してもよい。
【００８９】
当然ながら、所望のセキュリティレベルに応じて、任意の種類の暗号化を使用してもよく、任意の数の導体をリンク２９に設けてもよい。
【００９０】
図１〜図７の実施形態の動作が、変動する電力消費が入力部／出力部１２'／１２"上に信号を提供し、かつチップ１２に利用可能な電力を、チップ１２が動作不可能である程度まで低下させ得るという点において、多かれ少なかれ類似することが、上記から明らかである。また、同一の種類のプロセスを、変動する電力消費または一定の電力消費を提供するために使用してもよく、前述の説明は、これらの機能または動作のうちの１つだけに限定するものとして意図されない。組み合わせを使用してもよく、図８に関して説明した実施形態と、残りの図面に関して説明した実施形態のいずれかとの組み合わせも使用してもよい。
【００９１】
当然ながら、上記のタグを、衣服、食料品、銀行券等の多数の異なる状況において使用してもよく、特に、例えば、ＡＴＭに対するユーザまたは口座番号を識別するためにＲＦＩＤまたは他の近距離無線通信を使用するクレジットカード型要素に使用することは、利益をもたらす。
【図面の簡単な説明】
【００９２】
【図１】一般的な構成を図示する。
【図２】ＲＦＩＤチップの動作に影響を及ぼす信号または電力変動を生成するように機能する実施形態を図示する。
【図３】ＲＦＩＤチップの動作に影響を及ぼす信号または電力変動を生成するように機能する別の実施形態を図示する。
【図４】ＲＦＩＤチップの動作に影響を及ぼす信号または電力変動を生成するように機能する別の実施形態を図示する。
【図５】ＲＦＩＤチップの動作に影響を及ぼす信号または電力変動を生成するように機能する別の実施形態を図示する。
【図６】ＲＦＩＤチップが動作不可能なレベルまで、利用可能な電圧を低下させるように機能する実施形態を図示する。
【図７】ＲＦＩＤチップが動作不可能なレベルまで、利用可能な電圧を低下させるように機能する別の実施形態を図示する。
【図８】代替実施形態を図示する。
【図１】
0005969209.tif 000002
【図２】
0005969209.tif 000003
【図３】
0005969209.tif 000004
【図４】
0005969209.tif 000005
【図５】
0005969209.tif 000006
【図６】
0005969209.tif 000007
【図７】
0005969209.tif 000008
【図８】
0005969209.tif 000009